(57)【要約】【課題】  高価な部品を用いることなく、停電時において出力されるＦＭ信号の出力レベルを大きくする。【解決手段】  回路ＡのＰＩＮダイオードＤ１は、電源が通電されている時はオンし、電源が停電されている時はオフすることから、停電時においてフォトダイオードＰＤ１からＡＭＰ１は分離される。また、回路ＢにおけるＰＩＮダイオードＤ２は、電源が通電されている時はオンし、電源が停電されている時はオフすることから、停電時においてコンデンサＣ６はアースからオープンとなる。これにより、停電時において、フォトダイオードＰＤ１からのＦＭ信号は、コイルＬ１とフォトＭＯＳリレー１１を介して、非常に大きな出力レベルでＦＭ端子１２から出力されるようになる。【選択図】  図１
2015201815.tif 000002
【特許請求の範囲】
【請求項１】
光信号をＲＦ信号に変換して出力する一端がアースされたフォトダイオードと、
該フォトダイオードの他端と、該フォトダイオードから出力される前記ＲＦ信号を増幅する増幅手段とを接続する経路を、電源が通電されている時はオンし、電源が停電されている時はオフする第１の電子スイッチと、
前記フォトダイオードの前記他端に接続された前記ＲＦ信号を阻止するフィルタと、
該フィルタを、電源が通電されている時はオンし、電源が停電されている時はオフする第２の電子スイッチと、
前記フィルタの出力側と、ＦＭ端子とを接続する経路を、電源が通電されている時はオフし、電源が停電されている時はオンする第３の電子スイッチと、
前記第３の電子スイッチの出力側に一端が接続され、他端がアースされている第１の抵抗とを備え、
電源が通電されている時は、前記増幅手段から出力される前記ＲＦ信号の内のＦＭ信号が前記ＦＭ端子から出力され、電源が停電されている時は、前記フォトダイオードの前記他端が前記第３の電子スイッチおよび前記第１の抵抗を介してアースされて、前記フォトダイオードから出力される前記ＲＦ信号の内のＦＭ信号が、オフとされた前記フィルタおよびオンとされた前記第３の電子スイッチを介して前記ＦＭ端子から出力されることを特徴とする光受信端末。
【請求項２】
前記フィルタは、前記フォトダイオードの前記他端に一端が接続され、他端が第１のコンデンサの一端に接続されたコイルと、他端が第１のダイオードの一端に接続された前記第１のコンデンサとから構成され、
前記第２の電子スイッチが、電源が通電されている時はオンし、電源が停電されている時はオフする他端がアースされている前記第１のダイオードにより構成されていることを特徴とする請求項１記載の光受信端末。
【請求項３】
前記増幅手段の出力側と、前記ＦＭ端子とを接続する経路に、電源が通電されている時はオンし、電源が停電されている時はオフする第４の電子スイッチが接続されていることを特徴とする請求項１または２に記載の光受信端末。
【請求項４】
前記第１の電子スイッチは、一端がアースされた第２の抵抗と、該第２の抵抗の他端にカソードが接続され、一端が電源に接続されたチョークコイルの他端にアノードが接続された第２のダイオードにより構成され、
前記フォトダイオードの前記他端と前記第２の抵抗の他端との間、および、前記第２のダイオードのアノードと前記増幅手段との間に、それぞれ結合コンデンサが接続されていることを特徴とする請求項１ないし３のいずれかに記載の光受信端末。
【請求項５】
前記フィルタの出力側に一端が接続され、他端が電源に接続されて前記フォトダイオードに逆バイアス電圧を印加する第３の抵抗と、該第３の抵抗の一端から出力される信号が、ゲイン制御用の制御信号およびアラーム信号として用いられることを特徴とする請求項１ないし４のいずれかに記載の光受信端末。
【発明の詳細な説明】
【技術分野】
【０００１】
本発明は、停電時においても光受信端末から告知放送を十分なレベルで出力することのできる光受信端末に関する。
【背景技術】
【０００２】
音声告知放送システムは、既存または新設のケーブルテレビ（CATV）用放送網やFTTH（光ケーブル網）、またはコミュニティFM（CFM）放送を利用して災害時の緊急放送や行政情報などを放送するもので、自治体やＣＡＴＶ局などに設置された音声告知放送センター装置と、各家庭に設置された受信機とされた光受信端末とから構成されている。告知放送は通常は７０〜９０ＭＨｚのＦＭ信号を使用して伝送されるが、告知放送は緊急情報を伝送することから非常時において運用されることが想定されている。このため、告知放送端末装置は商用電源の停電時にも対応できる仕様となっていると共に、告知放送の受信機とされる光受信端末においては、停電時においても告知放送を受信できることが求められている。
【０００３】
停電時においても告知放送を受信できる従来の光受信端末が、特許文献１に記載されている。この光受信端末は、一端に抵抗が接続されたフォトダイオードの他端を、停電時に、アースに接続するよう自動的に切り替えて、停電時においてもフォトダイオードが受信信号を出力できるようにしている。また、フォトダイオードから出力される受信信号を、停電時には、電源が必要な受信信号を増幅する増幅器の経路から、電源を必要としない経路に自動的に切り替えて出力するようにしている。この自動的に切り替えるスイッチは、メカニカル構造のスイッチまたは半導体スイッチとされる。
【先行技術文献】
【特許文献】
【０００４】
【特許文献１】特許第４７０９８７５号公報
【発明の概要】
【発明が解決しようとする課題】
【０００５】
しかしながら、従来の光受信端末において、切替スイッチとしてメカニカル構造のスイッチ、すなわちリレーを用いるようにすると、経年変化により接点の接続不良を生じるおそれがあることから、耐久性に劣るという問題点があった。また、リレーは電子スイッチに比べて大型であることから光受信端末が大型になってしまうようになる。
また、切替スイッチとして半導体リレーを用いると、従来の光受信端末の耐久性は向上すると考えられるが、この半導体リレーでは高周波信号を通過させることから、高価な半導体リレーが必要になるという問題点が生じると共に、高い周波数における通過ロスが無視できなくなり、Ｃ／Ｎ（Carrier to Noise Ratio）が劣化するという問題点があった。さらに、従来の光受信端末は、停電時に出力されるＦＭ信号の出力レベルを大きくすることができないという問題点もあった。
【０００６】
そこで、本発明は、高価な部品を用いることなく、停電時において出力されるＦＭ信号の出力レベルを大きくすることができる光受信端末を提供することを目的としている。
【課題を解決するための手段】
【０００７】
本発明の光受信端末は、光信号をＲＦ信号に変換して出力する一端がアースされたフォトダイオードと、該フォトダイオードの他端と、該フォトダイオードから出力される前記ＲＦ信号を増幅する増幅手段とを接続する経路を、電源が通電されている時はオンし、電源が停電されている時はオフする第１の電子スイッチと、前記フォトダイオードの前記他端に接続された前記ＲＦ信号を阻止するフィルタと、該フィルタを、電源が通電されている時はオンし、電源が停電されている時はオフする第２の電子スイッチと、前記フィルタの出力側と、ＦＭ端子とを接続する経路を、電源が通電されている時はオフし、電源が停電されている時はオンする第３の電子スイッチと、前記第３の電子スイッチの出力側に一端が接続され、他端がアースされている第１の抵抗とを備え、電源が通電されている時は、前記増幅手段から出力される前記ＲＦ信号の内のＦＭ信号が前記ＦＭ端子から出力され、電源が停電されている時は、前記フォトダイオードの前記他端が前記第３の電子スイッチおよび前記第１の抵抗を介してアースされて、前記フォトダイオードから出力される前記ＲＦ信号の内のＦＭ信号が、オフとされた前記フィルタおよびオンとされた前記第３の電子スイッチを介して前記ＦＭ端子から出力されることを最も主要な特徴としている。
【発明の効果】
【０００８】
本発明の光受信端末は、フォトダイオードの他端と、ＲＦ信号を増幅する増幅手段とを接続する経路に、電源が通電されている時はオンし、電源が停電されている時はオフする第１の電子スイッチを設けると共に、ＲＦ信号を阻止するフィルタを、電源が通電されている時はオンし、電源が停電されている時はオフする第２の電子スイッチを設けることにより、メカニカル構造のリレーを用いることなく、電源の停電時において十分に大きなＦＭ信号の出力レベルを得ることができる。また、良好なＣ／Ｎを得ることができると共に、メカニカル構造のリレーや高価な部品を用いないことから、光受信端末を小型にすることができ、省スペース、低コストを実現することができる。
【図面の簡単な説明】
【０００９】
【図１】本発明の実施例の光受信端末の構成を示す回路図である。
【図２】本発明にかかる光受信端末において、電源が通電している場合の動作を説明するための回路図である。
【図３】本発明にかかる光受信端末において、電源が停電している場合の動作を説明するための回路図である。
【発明を実施するための形態】
【００１０】
本発明の実施例の光受信端末１の構成を示す回路図を図１に示す。以下の説明中で述べる「結合コンデンサ」とは、高周波信号（ＲＦ信号）は通過させるが、直流はカットするコンデンサのことを意味するものとし、「バイパスコンデンサ」とは、ＲＦ信号はバイパスさせるが、直流はバイパスさせないコンデンサを意味するものとする。また、「チョークコイル」とは、直流（電源）は通すが、ＲＦ信号は通さないコイルのことを意味するものとする。
図１に示す光受信端末１は、光ファイバー１０を伝播してきた光信号を受光して、電気信号であるＲＦ（高周波）信号に変換して出力するフォトダイオードＰＤ１を備えている。ＲＦ信号の帯域は、テレビ信号の多チャンネルサービスを行うＦＴＴＨのＣＡＴＶの周波数帯域である７０ＭＨｚ〜２．６ＧＨｚとされ、ＲＦ信号には７０〜９０ＭＨｚのＦＭ信号とされる告知放送が含まれている。このフォトダイオードＰＤ１のアノードはアースされ、カソードは結合コンデンサＣ１を介して回路Ａに接続されている。回路Ａは第１の電子スイッチであり、結合コンデンサＣ１と結合コンデンサＣ２との間の経路を、電源Ｖｃｃが通電されている時はショートし、電源Ｖｃｃが停電されている時はオープンにする。この回路Ａは、一端がアースされた抵抗Ｒ１と、この抵抗Ｒ１の他端にカソードが接続されたＰＩＮダイオード（p-intrinsic-n Diode）Ｄ１と、ＰＩＮダイオードＤ１のアノードに一端が接続され、他端が電源Ｖｃｃに接続されたチョークコイルＬ２とから構成されている。チョークコイルＬ２の一端には、一端がアースされたバイパスコンデンサＣ３が接続されている。そして回路Ａは、結合コンデンサＣ２を介して増幅器（ＡＭＰ１）に接続されている。すなわち、結合コンデンサＣ１と結合コンデンサＣ２との間にＰＩＮダイオードＤ１が直列に接続され、電源Ｖｃｃが通電されている時は、Ｖｃｃ−Ｌ２−Ｄ１−Ｒ１の経路で電流が流れてＰＩＮダイオードＤ１はオンする。これにより、フォトダイオードＰＤ１から出力されるＲＦ信号が、ＰＤ１−Ｃ１−Ｄ１−Ｃ２−ＡＭＰ１の経路を介してＡＭＰ１に入力され、ＡＭＰ１で所定のレベルに増幅される。この場合、ＲＦ信号はＰＩＮダイオードＤ１ではロスすることなく、ＲＦ信号のＣ／Ｎ（Carrier to Noise Ratio）は確保され、良好なＣ／Ｎが得られる。増幅されたＲＦ信号は、結合コンデンサＣ４を介して出力（ＯＵＴ）される。なお、ＡＭＰ１には、出力側に一端が接続されたチョークコイルＬ３を介して動作用の電源Ｖｃｃが供給されており、チョークコイルＬ３の他端には一端がアースされたバイパスコンデンサＣ５が接続されている。また、電源Ｖｃｃが停電されている時は、ＰＩＮダイオードＤ１はオフしてフォトダイオードＰＤ１からＡＭＰ１はアイソレーションされる。
【００１１】
また、フォトダイオードＰＤ１のカソードにはバイアスラインを構成する回路Ｂが接続され、回路Ｂには回路Ｃが接続されている。回路Ｂは、フォトダイオードＰＤ１のカソードに一端が接続されたコイルＬ１と、コイルＬ１の他端に一端が接続されたコンデンサＣ６とからなるローパスフィルタ（ＬＰＦ）と、ＰＩＮダイオードＤ２と抵抗Ｒ３からなる第２の電子スイッチとを備えている。第２の電子スイッチは、コンデンサＣ６の他端をアースするか、オープンにするかを切り替えており、コンデンサＣ６の他端を、電源Ｖｃｃが通電されている時はアースに接続し、電源Ｖｃｃが停電されている時はオープンにする。詳細に説明すると、コンデンサＣ６の他端は、カソードがアースされたＰＩＮダイオードＤ２のアノードに接続されている。また、ＰＩＮダイオードＤ２のアノードには、電源Ｖｃｃに一端が接続された抵抗Ｒ３の他端が接続されている。これにより、電源Ｖｃｃが通電されている時は、抵抗Ｒ３を介してＰＩＮダイオードＤ２に電流が流れてＰＩＮダイオードＤ２はオンする。すると、コンデンサＣ６の他端がアースされるので、上記したＬＰＦの作用によりフォトダイオードＰＤ１から出力されるＲＦ信号は、結合コンデンサＣ１を介する経路（ＲＦライン）にのみ供給され、回路Ｂ側のバイアスラインはＲＦ信号から見て分離されるようになる。なお、コイルＬ１の他端には、一端が電源Ｖｃｃに接続された抵抗Ｒ４の他端が接続され、Ｖｃｃ−Ｒ４−Ｌ１−ＰＤ１のバイアスラインでフォトダイオードＰＤ１に逆バイアス電圧が印加される。これにより、フォトダイオードＰＤ１の光信号に対するダイナミックレンジを拡げることができるようになる。また、抵抗Ｒ４にはフォトダイオードＰＤ１に入力する光信号のレベルに応じた光電流Ｉｐｄが流れ、抵抗Ｒ４の一端から出力される信号は、光電流Ｉｐｄに応じた電圧信号となることから、ゲインを制御するＡＧＣ（automatic gain control）信号として利用できると共に、光信号のレベルが低い時にアラーム信号を出力するアラーム用の信号として利用することができる。
【００１２】
回路ＢのコイルＬ１とコンデンサＣ６との接続点に接続されている回路Ｃは第３の電子スイッチであり、接点ａ，ｂ間が、電源が通電されている時はオープンし、電源が停電されている時はショートされる。具体的には、第３の電子スイッチは、直流を通すことができるフォトＭＯＳリレー１１を備えており、フォトＭＯＳリレー１１の接点ａがコイルＬ１とコンデンサＣ６との接続点に接続され、接点ｂは一端がアースされた抵抗Ｒ６の他端と、ＦＭ端子１２とに接続されている。また、フォトＭＯＳリレー１１の駆動端子ｃは、一端が電源Ｖｃｃに接続された抵抗Ｒ５を介して電源Ｖｃｃが供給されており、駆動端子ｄはアースされている。このフォトＭＯＳリレー１１の接点ａ，ｂはノーマリオンの接点とされており、駆動端子ｃ，ｄ間に電源Ｖｃｃが供給されている時、すなわち電源Ｖｃｃが通電されている時は駆動されて接点ａ，ｂ間はオープンとなっており、電源Ｖｃｃが停電した時は接点ａ，ｂ間はショートされる。
【００１３】
ＡＭＰ１から出力されるＲＦ信号は、結合コンデンサＣ４を介して出力されており、結合コンデンサＣ４の出力側には抵抗Ｒ２の一端が接続され、この抵抗Ｒ２の他端は第４の電子スイッチを介してＦＭ端子１２に接続されている。第４の電子スイッチは、抵抗Ｒ２の他端にアノードが接続され、ＦＭ端子１２にカソードが接続されたＰＩＮダイオードＤ３と、一端が電源Ｖｃｃに接続され他端がＰＩＮダイオードＤ３のアノードに接続されたチョークコイルＬ４と、一端がアースされ他端がＰＩＮダイオードＤ３のカソードに接続された抵抗Ｒ７とから構成されている。このチョークコイルＬ４の一端には、一端がアースされたバイパスコンデンサＣ７が接続されている。第４の電子スイッチは、電源Ｖｃｃが通電されている時は、Ｖｃｃ−Ｌ４−Ｄ３−Ｒ７の経路で電流が流れてＰＩＮダイオードＤ３はオンする。これにより、ＡＭＰ１から出力されるＲＦ信号が、ＡＭＰ１−Ｃ４−Ｒ２−Ｄ３−Ｃ８−ＦＭ端子１２の経路を介してＦＭ端子１２から出力される。また、電源Ｖｃｃが停電されている時は、上記経路はオープンされてＦＭ端子１２からＡＭＰ１の出力側はアイソレーションされる。
【００１４】
次に、光受信端末１において電源Ｖｃｃが通電している時の動作を図２に示す本発明の実施例の光受信端末１の構成を示す回路図を参照しながら説明する。図２においては、電源Ｖｃｃが通電されている時にオンする第１の電子スイッチと第２電子スイッチと第４の電子スイッチを、オンした接点で示すと共に、電源Ｖｃｃが通電されている時にオフする第３の電子スイッチを破線で示している。
電源Ｖｃｃが通電されている時は図２に示すように、回路Ａの第１電子スイッチを構成するＰＩＮダイオードＤ１と、第２電子スイッチを構成するＰＩＮダイオードＤ２とがオンすると共に、第４電子スイッチを構成するＰＩＮダイオードＤ３がオンする。しかし、電源Ｖｃｃが通電されている時には第３の電子スイッチはオフする。これにより、フォトダイオードＰＤ１には抵抗Ｒ４を介して逆バイアスが印加され、フォトダイオードＰＤ１には光ファイバー１０から入力された光信号の強度に応じた光電流Ｉｐｄが流れる。この光電流Ｉｐｄにより光信号を電気信号に変換したＲＦ信号が生じ、ＲＦ信号は図示するように結合コンデンサＣ１とＰＩＮダイオードＤ１と結合コンデンサＣ２を介してＡＭＰ１に入力する。ＡＭＰ１で所定のレベルに増幅されたＲＦ信号は、結合コンデンサＣ４を介して出力（ＯＵＴ）されると共に、抵抗Ｒ２とＰＩＮダイオードＤ３と結合コンデンサＣ８を介してＦＭ端子１２から出力される。この場合、ＲＦ信号には告知放送のＦＭ信号が含まれており、結合コンデンサＣ４からＦＭ端子１２までの経路に、ＦＭ信号（告知放送）の周波数帯域のみを抽出するフィルタを設けるようにしてもよい。ＦＭ端子１２からは、ＡＭＰ１で増幅された十分大きなレベルのＦＭ信号が出力される。なお、ＰＩＮダイオードＤ２がオンすることから、バイアスラインである回路Ｂ側は高周波的に分離されて、ＲＦ信号はＡＭＰ１への経路であるＲＦライン側へだけ伝播するようになる。
【００１５】
次に、光受信端末１において電源Ｖｃｃが停電している時の動作を図３（ａ）に示す本発明の実施例の光受信端末１の構成を示す回路図を参照しながら説明する。図３（ａ）においては、電源Ｖｃｃが停電されている時にオフする第１の電子スイッチと第２電子スイッチと第４の電子スイッチを、オフした破線の接点で示すと共に、電源Ｖｃｃが停電されている時にオンする第３の電子スイッチを実線で示している。
電源Ｖｃｃが停電されている時は図３（ａ）に示すように、回路Ａの第１電子スイッチを構成するＰＩＮダイオードＤ１と、第２電子スイッチを構成するＰＩＮダイオードＤ２とがオフすると共に、第４電子スイッチを構成するＰＩＮダイオードＤ３がオフする。しかし、電源Ｖｃｃが停電されている時には第３の電子スイッチはオンする。これにより、フォトダイオードＰＤ１のカソードはコイルＬ１とフォトＭＯＳリレー１１の接点ａ，ｂを介して一端がアースされた抵抗Ｒ６の他端に接続されて、フォトダイオードＰＤ１は抵抗Ｒ６で終端される。すなわち、図３（ｂ）に示すフォトダイオードＰＤと抵抗Ｒとで構成されるループ回路が同様に構成される。これにより、フォトダイオードＰＤ１は電源Ｖｃｃが印加されない状態であっても動作状態となり、光ファイバー１０から入力された光信号の強度に応じた光電流Ｉｐｄ’が流れる。この光電流Ｉｐｄ’により光信号を電気信号に変換したＲＦ信号が生じ、コンデンサＣ６の他端がオープンになることから、ＲＦ信号は図示するようにバイアスラインを伝播して、回路ＢのコイルＬ１と回路ＣのフォトＭＯＳリレー１１の接点ａ，ｂを介してＦＭ端子１２から出力されるようになる。
【００１６】
なお、フォトダイオードＰＤ１からのＲＦ信号は、コイルＬ１により高域の周波数帯域は減衰されるが、少なくとも７０〜９０ＭＨｚのＦＭ信号は通過することから、ＦＭ端子１２からはＦＭ信号（告知放送）が少なくとも出力される。また、フォトＭＯＳリレーは、直流と７０〜９０ＭＨｚのＦＭ信号が通過できれば良いことから、安価なものを採用することができる。
また、回路Ａの第１の電子スイッチがオフすることから、結合コンデンサＣ１，Ｃ２間がオープンになり、フォトダイオードＰＤ１からのＲＦ信号はＡＭＰ１に供給されないと共に、ＡＭＰ１に電源Ｖｃｃが供給されないことからＡＭＰ１も動作しない。さらに、第４の電子スイッチもオフすることから、抵抗Ｒ２と結合コンデンサＣ８との間の経路がオープンとされ、ＦＭ端子１２はＡＭＰ１の出力側と分離される。
【００１７】
本発明にかかる光受信端末１では、電源Ｖｃｃが停電されている時に、ＦＭ端子１２から出力されるＦＭ信号（告知放送）の出力レベルは４６ｄＢμ以上が得られ、非常に大きな出力レベルのＦＭ信号（告知放送）を出力することができる。従来の光受信端末においては、電源が停電されている時に出力されるＦＭ信号（告知放送）の出力レベルは４０ｄＢμ〜４３ｄＢμ程度である。従って、本発明にかかる光受信端末１においては電源が停電されている時に、従来の光受信端末に比較してＦＭ信号の出力レベルが６ｄＢ〜１０ｄＢ改善されるようになる。この理由を次に説明する。
ＡＭＰ１は電源Ｖｃｃが停電されている時においても入力インピーダンスをもっており、電源Ｖｃｃが停電されている時にフォトダイオードＰＤ１にＡＭＰ１が高周波的に接続されていると、ＡＭＰ１の影響により出力されるＲＦ信号は減衰を受けるようになる。そこで、本発明にかかる光受信端末１では、図１に示すようにフォトダイオードＰＤ１とＡＭＰ１との間に、電源Ｖｃｃが停電されている時にオープンとなる回路Ａによる第１の電子スイッチを設けて、電源Ｖｃｃが停電されている時にフォトダイオードＰＤ１からＡＭＰ１をアイソレーションしている。これにより、電源Ｖｃｃが停電されている時に非常に大きな出力レベルのＦＭ信号（告知放送）を出力することができる。ＡＭＰ１の入力インピーダンスによる減衰を防止することができ、減衰されないＦＭ信号をＦＭ端子１２から出力できるようになる。
【００１８】
また、フォトダイオードＰＤ１はハイインピーダンスであり、コイルＬ１との整合性が高くされている。コイルＬ１のインダクタンスは７０〜９０ＭＨｚのＦＭ信号の周波数帯域が減衰しない程度の大きな値（例えば、約０．８２μＨ）が選ばれている。このコイルＬ１のインダクタンス値に合わせて、コンデンサＣ６のキャパシタンス値は、例えば１０００ｐＦが選ばれているため、電源Ｖｃｃが停電されている時にコイルＬ１の他端にアースされたコンデンサＣ６が接続されていると、ＦＭ信号がコンデンサＣ６を介してアースに落ちてしまうようになる。そこで、本発明にかかる光受信端末１では、電源Ｖｃｃが停電されている時に、コンデンサＣ６の他端をオープンにする第２の電子スイッチを回路Ｂに設けている。これにより、電源Ｖｃｃが停電されている時に、コンデンサＣ６の他端がオープンされて、コイルＬ１を通過したＦＭ信号がコンデンサＣ６でアースに落ちることなく回路Ｂを通過するようになる。上記したように、ＡＭＰ１および回路ＢにおけるＦＭ信号の減衰を防止することができ、電源Ｖｃｃが停電されている時に非常に大きな出力レベルのＦＭ信号（告知放送）をＦＭ端子１２から出力することができるようになる。
【００１９】
なお、回路Ａにおいては左右を逆にした回路として、結合コンデンサＣ１側にチョークコイルＬ２を配置すると共に結合コンデンサＣ２側に抵抗Ｒ１を配置する回路とすることができる。しかしながら、このように回路Ａを左右逆にした第１の電子スイッチの回路とすると、電源Ｖｃｃが停電されている時に、回路ＡにおいてはチョークコイルＬ２とバイパスコンデンサＣ３を介してＦＭ信号がアースに落ちるようになり、ＦＭ端子１２から出力されるＦＭ信号のレベルが約２ｄＢ程度減衰することになる。
また、抵抗Ｒ６をフォトＭＯＳリレー１１の出力側の接点ｂに接続する理由について説明する。抵抗Ｒ６をフォトＭＯＳリレー１１の前に接続する場合は、フォトダイオードＰＤ１のカソードからフォトＭＯＳリレー１１の接点ａまでの経路のいずれかに一端がアースされた抵抗Ｒ６の他端を接続することになる。すると、抵抗Ｒ６の抵抗値は１００Ω〜３００Ω位の値とされるため、電源Ｖｃｃが通電されている時に抵抗Ｒ６に流れる電流は光電流Ｉｐｄより非常に大きな電流となる。この抵抗Ｒ６に流れる電流は、電源Ｖｃｃから抵抗Ｒ４を介して流れるため、抵抗Ｒ４に流れる光電流Ｉｐｄの割合が非常に小さくなり、抵抗Ｒ４の他端からは光信号の強度に応じた信号がほとんど出力されなくなり、ＡＧＣ信号やアラーム信号として利用することができなくなる。そこで、図１に示すように抵抗Ｒ６をフォトＭＯＳリレー１１の出力側の接点ｂに接続して、電源Ｖｃｃが通電されている時に抵抗Ｒ６に抵抗Ｒ４を介して電流が流れないようにしているのである。この抵抗Ｒ６に替えて、ツェナーダイオードを用いるようにしてもよい。
なお、電源Ｖｃｃは、例えばＤＣ１２Ｖとされ、フォトダイオードＰＤ１に入力される光信号のレベルが０ｄｍの時は、電源Ｖｃｃが通電されている時に約０．９ｍＡの光電流Ｉｐｄが流れ、光信号のレベルが−１０ｄＢｍの時は、約０．０９ｍＡの光電流Ｉｐｄが流れるようになる。抵抗Ｒ４には、上記光電流Ｉｐｄに応じた信号が生じ、この信号を用いるアラーム回路の一例では、光信号のレベルが、例えば−１５ｄＢｍ以下となった時に、ＬＥＤ等が点灯されてアラームが報知される。また、上記信号を用いるＡＧＣ回路の一例では、入力される光信号のレベルが−２ｄＢｍ〜−８ｄＢｍの時に出力されるＲＦ信号のレベルが一定になるようにレベル制御する。
【産業上の利用可能性】
【００２０】
本発明の実施例の光受信端末において、ＦＭ端子から出力されるＦＭ信号は告知放送を受信できる受信機に供給される。そして、本発明の実施例の光受信端末は、無給電ＦＭ出力搭載で通電時にはＣＡＴＶ信号受信端末として機能し、停電時にはＦＭ緊急放送告知放送が受信可能な光受信端末として機能するようになる。
上記の説明では、本発明にかかる光受信端末で受信できるＦＭ信号は告知放送のＦＭ信号としたが、これに限ることはなく、ＦＭ放送局から放送されるＦＭ信号とすることもできる。また、本発明にかかる光受信端末はＦＴＴＨのＣＡＴＶ用としたが、これに限るものではなく、一般の光受信端末に適用することができる。
【符号の説明】
【００２１】
１  光受信端末、１０  光ファイバー、１１  フォトＭＯＳリレー、１２  ＦＭ端子、Ｃ１，Ｃ２，Ｃ４，Ｃ８  結合コンデンサ、Ｃ３，Ｃ５，Ｃ７  バイパスコンデンサ、Ｃ６  コンデンサ、Ｄ１，Ｄ２，Ｄ３  ＰＩＮダイオード、Ｉｐｄ，Ｉｐｄ’  光電流、Ｌ１  コイル、Ｌ２，Ｌ３，Ｌ４  チョークコイル、ＰＤ１  フォトダイオード、Ｖｃｃ  電源、ａ，ｂ  接点、ｃ，ｄ  駆動端子
【図１】
2015201815.tif 000003
【図２】
2015201815.tif 000004
【図３】
2015201815.tif 000005